(57)【特許請求の範囲】
【請求項１】
表示部と、
前記表示部を含む自装置の各部に電力を供給する主電源部と、
前記主電源の電源断時に電力の供給を開始する補助電源部と、
前記主電源の電源断を検出して検出信号を出力する停電検出部としての、第１停電検出部及び第２停電検出部と、
自装置の動作をソフトウェアで制御し、前記第１停電検出部から出力された前記検出信号に基づいて自装置の終了処理を開始し、当該終了処理中であることを前記表示部に表示させる第１制御部と、
前記第２停電検出部から出力された前記検出信号に基づいて前記表示部の消費電力を低下させる制御をハードウェアで行い、前記終了処理後の、補助電源からの電力供給の停止により、前記表示部を停止する、第２制御部と、
を備える販売データ処理装置。
【請求項２】
前記第２制御部は、前記表示部の画面の一部又は全部の輝度を低下させて、当該表示部の消費電力を低下させる、請求項１に記載の販売データ処理装置。
【請求項３】
前記表示部は、オペレータ用の第１表示部と、客用の第２表示部とを有し、
前記第２制御部は、前記第２停電検出部から出力された前記検出信号に基づいて前記第１表示部のバックライトの輝度を低下させるとともに、前記第２表示部への表示出力を停止させる、請求項１または２に記載の販売データ処理装置。
【請求項４】
前記第２停電検出部は、前記主電源部による電力供給の復帰を検出し、
前記第２制御部は、前記第２停電検出部により前記電力供給の復帰が検出された場合に、前記表示部の消費電力を通常時の消費電力に復帰させる、請求項１ないし３のいずれか１つに記載の販売データ処理装置。
【請求項５】
前記停電検出部としての第１停電検出部及び第２停電検出部が電源断を検出した場合に、
前記第２制御部は、前記表示部の表示エリアを画面の一部に限定し、
前記第１制御部は、当該表示エリアにおいて前記終了処理中であることを表示させる、請求項１ないし４のいずれか１つに記載の販売データ処理装置。
【請求項６】
前記第２停電検出部が電源断を検出した場合に、前記終了処理が停電に起因することを報知する報知手段を更に備える、請求項１ないし５のいずれか１つに記載の販売データ処理装置。
【発明の詳細な説明】
【技術分野】
【０００１】
本発明の実施形態は、販売データ処理装置に関する。
【背景技術】
【０００２】
専門店や量販店、レストラン等で用いられるＰＯＳ（Point  Of  Sales）装置は、停電時にアプリケーションを正常に終了するため、二次電池や無停電電源装置（ＵＰＳ：Uninterruptible  Power  Supply）等の補助電源を備えている。一般に、停電補償時間が長いほど補助電源は高価格化するため、コスト低減のためには停電補償時間の短い補助電源を搭載することが望ましい。
【０００３】
そこで、ＰＯＳ装置のシャットダウン処理時には、無用な電力消費をカットして補助電源の接続負荷を軽減することが望まれる。この点に関して従来、停電発生時に実行されるソフトウェア処理により、動作電圧が大きい負荷部から優先的に終了処理を行うことで、電力消費量の軽減化を行う電子機器が提案されている。しかしながら、上記従来の技術では、比較的早い段階で表示部の終了処理が行われた場合、停電時にＰＯＳ装置がどのような動作をしているのか店員は把握できないという問題がある。また、上記ソフトウェア処理によりＣＰＵに掛かる負荷が増大する可能性もあるため、省電力化と終了処理とは異なる機能部で制御することが望ましい。
【発明の概要】
【発明が解決しようとする課題】
【０００４】
本発明が解決しようとする課題は、ＣＰＵに掛かる負荷を軽減しつつ、停電時にＰＯＳ装置の動作状況を分かり易くする販売データ処理装置を提供することである。
【課題を解決するための手段】
【０００５】
実施形態の販売データ処理装置は、表示部と、主電源部と、補助電源部と、第１停電検出部及び第２停電検出部と、第１制御部と、第２制御部とを備える。主電源部は、前記表示部を含む自装置の各部に電力を供給する。補助電源部は、前記主電源の電源断時に電力の供給を開始する。第１停電検出部及び第２停電検出部は、前記主電源の電源断を検出して検出信号を出力する。第１制御部は、自装置の動作をソフトウェアで制御し、前記第１停電検出部から出力された前記検出信号に基づいて自装置の終了処理を開始し、当該終了処理中であることを前記表示部の少なくとも一部に表示させる。第２制御部は、前記第２停電検出部から出力された前記検出信号に基づいて前記表示部の消費電力を低下させる制御をハードウェアで行い、上記終了処理後の、補助電源からの電力供給の停止により、前記表示部を停止する。
【図面の簡単な説明】
【０００６】
【図１】図１は、本実施形態にかかるＰＯＳ装置のブロック図を示す図である。
【図２】図２は、停電検出時にシャットダウン処理を行う場合の輝度制御動作を説明する図である。
【図３】図３は、停電検出後のシャットダウン処理中に復電した場合の輝度制御動作を説明する図である。
【図４】図４は、瞬停時の動作を説明する図である。
【発明を実施するための形態】
【０００７】
図１は、本実施形態にかかるＰＯＳ装置１の構成を示すブロック図である。図１に示すように、ＰＯＳ装置１は、ＣＰＵ（Central  Processing  Unit）１０と、ＲＯＭ（Read  Only  Memory）１１と、ＲＡＭ（Random  Access  Memory）１２と、記憶部１３と、通信Ｉ／Ｆ１４と、スピーカ１５と、ＬＥＤ（Light  Emitting  Diode）１６と、冷却ファン１７と、表示ユニット２３、２６と、表示制御部２７と、キーボード３１と、キーボード制御部３２と、プリンタ４１と、プリンタ制御部４２と、バーコードスキャナ５１と、シリアルポート５２と、ＡＣ−ＤＣ変換部６１と、ＵＰＳバッテリ６２と、ＤＣ−ＤＣ変換部６３と、停電検出部７１と、ＬＩＵ（Line  Indicator  Unit）８１と、ＬＩＵ制御部８２とを主に備えている。
【０００８】
ＣＰＵ１０、ＲＯＭ１１、ＲＡＭ１２、記憶部１３、通信Ｉ／Ｆ１４、冷却ファン１７、表示制御部２７、キーボード制御部３２、プリンタ制御部４２、シリアルポート５２およびＤＣ−ＤＣ変換部６３は、メイン基板上に配置され、互いにバスラインによって電気的に接続されている。
【０００９】
表示ユニット２３、２６は、メインＬＣＤ（Liquid  Crystal  Display）２１、サブＬＣＤ２４にバックライト２２、２５、駆動用回路等がそれぞれ取り付けられた液晶モジュールである。バックライト２２、２５の光源としては、例えばＬＥＤ（Light  Emitting  Diode）を用いることができるが、特に限定されるものではない。メインＬＣＤ２１、サブＬＣＤ２４およびバックライト２２、２５はメイン基板上の表示制御部２７に電気的に接続され、表示制御部２７の制御によって駆動される。
【００１０】
本実施形態では、メインＬＣＤ２１をオペレータ用の第１表示部として用い、サブＬＣＤ２４およびＬＩＵ８１を客用の第２表示部として用いる場合について説明する。なお、ＰＯＳ装置１が備える表示装置の種類、数、詳細な構成はここで挙げる例に限定されない。一例として、ＬＩＵ８１に替わって液晶パネル等の他の表示装置を客用表示部として用いてもよい。
【００１１】
ＣＰＵ１０は、ＲＯＭ１１に格納された各種プログラムをＲＡＭ１２に展開して実行することにより、ＰＯＳ装置１の全体の動作を制御する第１制御部として機能する。例えばＣＰＵ１０は、販売データ管理用のアプリケーションプログラムに基づいて、記憶部１３に販売データを書き込む書込処理を行う。また、ＣＰＵ１０は、ＡＣ−ＤＣ変換部６１から停電検出が通知された場合に、起動している各種アプリケーションを正常に終了させるアプリ終了処理を開始し、アプリ終了処理後にＯＳのシャットダウン処理を開始する。
【００１２】
各終了処理時にＣＰＵ１０は、当該終了処理中であることを表示部（例えば、メインＬＣＤ２１）の少なくとも一部に表示させるための表示情報を表示制御部２７に出力する。尚、終了処理中であることを示す表示については、オペレータが確認可能であるメインＬＣＤ２１で行うのが好適であるが、サブＬＣＤ２４等の他の表示部で表示してもよい。ＣＰＵ１０は、ＡＣ−ＤＣ変換部６１から停電検出を通知された場合に、各負荷部への電源供給元をＡＣ−ＤＣ変換部６１からＵＰＳバッテリ６２に切り替える。
【００１３】
ＲＯＭ１１は、ＰＯＳ装置１を動作させる基本プログラム等を格納する記憶媒体である。ＲＡＭ１２は、各種データ処理に使用するデータを一時的に格納する記憶媒体である。記憶部１３は、ＯＳ、ドライバ、販売データ管理用のアプリケーションプログラム、電源管理用のアプリケーションおよび各種管理データ等を格納するＨＤＤ（ハードディスクドライブ）などの記憶媒体である。通信Ｉ／Ｆ１４は、図示しない外部装置との間でＬＡＮ（Local  Area  Network）等のネットワークを介してデータを送受信するためのインタフェースである。
【００１４】
スピーカ１５は、エラー発生時の警告音などを出力可能な音声出力部である。ＬＥＤ１６は、光を点滅させることなどによりエラー発生時の警告等を出力可能な照明部として機能する。なお、光によって情報を通知可能なものであればＬＥＤ以外の照明装置を用いるように構成してもよい。また、ＰＯＳ装置１は、スピーカ１５およびＬＥＤ１６の少なくとも一方を備えていれば良い。冷却ファン１７は、ＰＯＳ装置１の内部を冷却するためのファンである。
【００１５】
キーボード３１は、ユーザが文字列等を入力するための操作部である。キーボード制御部３２は、キーボード３１を制御する。プリンタ４１は、レシートの印字等を行う。プリンタ制御部４２は、プリンタ４１を制御する。バーコードスキャナ５１は、商品に付されたバーコードを読み取る。シリアルポート５２は、バーコードスキャナ５１等の機器を接続するＲＳ−２３２Ｃなどのシリアル通信方式のインタフェースである。
【００１６】
ＡＣ−ＤＣ変換部６１は、商用交流電源からの入力電圧を直流電圧に変換し、ＤＣ−ＤＣ変換部６３に出力する。ＡＣ−ＤＣ変換部６１は、ＰＯＳ装置１が有する各負荷部に電源電圧を供給する主電源部に相当する。また、ＡＣ−ＤＣ変換部６１は、停電等により商用交流電源から交流電圧が入力されなくなった場合に、商用交流電源からの電力供給が遮断されたことをＣＰＵ１０に通知する。ＡＣ−ＤＣ変換部６１は一例として、従来一般的に用いられているＡＣＦＡＩＬ信号を出力することにより、ＣＰＵ１０に停電検出を通知することができる。
【００１７】
ＵＰＳバッテリ６２は、停電等により商用交流電源からの電力供給が停止した際に、各負荷部への電力供給をバックアップする補助電源部として機能する。尚、ＰＯＳ装置１は補助電源として二次電池を備えてもよい。
【００１８】
ＤＣ−ＤＣ変換部６３は、ＡＣ−ＤＣ変換部６１の出力電圧を各負荷部の動作に必要な所定レベルの直流電圧（例えばＤＣ２４Ｖ）に変換する。また、ＤＣ−ＤＣ変換部６３は、ＵＰＳバッテリ６２の充電時にＡＣ−ＤＣ変換部６１の出力電圧をＤＣ−ＤＣ変換してＵＰＳバッテリ６２に出力する。
【００１９】
停電検出部７１は、ＤＣ−ＤＣ変換部６３の出力電圧を監視し、当該出力電圧が閾値以下となった場合に電源断（停電）があったことを検出する。また、停電検出部７１は、停電検出後に、ＤＣ−ＤＣ変換部６３の出力電圧が上記閾値より大きくなった場合、商用交流電源が復帰（復電）したことを検出する。なお、停電検出部７１が監視する電圧値は、ＤＣ−ＤＣ変換部６３の出力電圧値に限定されない。その他の例として、停電検出部７１はＡＣ−ＤＣ変換部６１の入力電圧または出力電圧を監視してもよいし、ＤＣ−ＤＣ変換部６３の入力電圧を監視してもよい。
【００２０】
また、停電検出部７１は、停電検出時において、停電検出を通知するための停電信号を表示制御部２７およびＬＩＵ制御部８２に対して出力する。加えて、停電検出部７１は、復電検出時において、復電検出を通知するための復電信号を表示制御部２７およびＬＩＵ制御部８２に対して出力する。
【００２１】
一例として、停電検出部７１は、ＦＡＩＬ信号（図２参照）の出力状態を変化させて停電信号または復電信号を出力する。即ち、停電検出部７１は、ＦＡＩＬ信号の出力状態をＬＯからＨＩとすることで停電を通知するための停電信号を出力する。また、停電検出部７１は、ＦＡＩＬ信号の出力状態をＨＩからＬＯとすることで復電を通知するための復電信号を出力する。
【００２２】
表示制御部２７は、ＣＰＵ１０が出力した表示情報に基づいて、表示ユニット２３、２６の表示処理を制御する。即ち、表示制御部２７は、ＣＰＵ１０から入力された各ＬＣＤのドットマトリクスに対応する色情報と輝度情報とに基づいて、メインＬＣＤ２１、サブＬＣＤ２４の表示動作を制御し、これらＬＣＤのバックライト２２、２５の照明動作を制御する。一例として、表示制御部２７は光源に印加する駆動電圧のパルス幅変調（ＰＷＭ）を行ってバックライト２２、２５の輝度を制御する。即ち表示制御部２７は、ＰＷＭ制御におけるデューティー比を小さくすることによりバックライト２２、２５の輝度を低下させる。
【００２３】
ＬＩＵ８１は、ＬＥＤを用いて文字やシンボルを複数行に亘りライン表示する表示部である。ＬＩＵ８１は、商品名や価格、値引き額、合計金額等の情報を客に対して表示する客用表示部として用いられる。
【００２４】
ＬＩＵ制御部８２は、ＣＰＵ１０が出力した表示情報に基づいてＬＥＤの点灯パターンを制御することで、ＬＩＵ８１における表示処理を制御する。
【００２５】
表示制御部２７およびＬＩＵ制御部８２は、停電検出部７１が停電を検出した場合に、表示部の消費電力を低下させる制御をハードウェア構成にて行う第２制御部として機能する。また、表示制御部２７およびＬＩＵ制御部８２は、停電検出部７１が商用交流電源の復帰を検出した場合に、表示部の消費電力を停電検出前の通常動作時の消費電力に復帰させる。
【００２６】
より詳細には、表示制御部２７は、停電検出部７１から停電信号が出力された場合に、メインＬＣＤ２１のバックライト２２の輝度を低下させてメインＬＣＤ２１表示を継続させる。一方で、表示制御部２７は、サブＬＣＤ２４のバックライト２５を消灯し、サブＬＣＤ２４における表示出力を停止させる。ＬＩＵ制御部８２は、停電検出部７１から停電信号が出力された場合にＬＩＵ８１における表示出力を終了させる。
【００２７】
また、表示制御部２７は、停電検出部７１から復電信号が出力された場合に、メインＬＣＤ２１のバックライト２２の輝度を停電検出前の通常動作時（即ち、停電信号が出力される前）の輝度まで増加させる。加えて、表示制御部２７は、サブＬＣＤ２４のバックライト２５を点灯させて、サブＬＣＤ２４における表示出力を再開させる。また、ＬＩＵ制御部８２はＬＩＵ８１における表示出力を再開させる。
【００２８】
次に、ＰＯＳ装置１が行うメインＬＣＤ２１、サブＬＣＤ２４、ＬＩＵ８１の輝度制御の動作例について、図２ないし図４を用いて説明する。
【００２９】
図２は、停電検出時にシャットダウン処理を行う場合の輝度制御動作を説明する図である。「ＡＣ１００Ｖ」は商用交流電源の入力電圧を示す。「Ｖ６３」は、ＤＣ−ＤＣ変換部６３の出力電圧を示す。「システム」はＰＯＳ装置１のシステムの起動状態を示す。「メインＬＣＤ」はメインＬＣＤ２１のバックライト２２の輝度、「サブＬＣＤ」はサブＬＣＤ２４のバックライト２５の輝度をそれぞれ示す。「ＬＩＵ」は、ＬＩＵ８１の点灯／消灯状態を示す。「ＦＡＩＬ」は停電検出部７１が出力するＦＡＩＬ信号の出力状態を示す。
【００３０】
時間ｔ０で商用交流電源が入力されると、ＡＣ−ＤＣ変換部６１の直交変換を経てＤＣ−ＤＣ変換部６３に直流電圧が入力される。ＤＣ−ＤＣ変換部６３は入力された直流電圧を負荷部の作動電圧である２４Ｖまで低下させ、これにより出力電圧Ｖ６３は２４Ｖとなる。なお、ＰＯＳ装置１の負荷部の作動電圧は上述した２４Ｖに限定されずその他の電圧値であってもよい。
【００３１】
そして、時間ｔ１でＰＯＳ装置１のスイッチが投入されると、ＣＰＵ１０はＲＯＭ１１が記憶するプログラムをＲＡＭ１２に展開して読み込み、システムの起動を開始する。表示制御部２７はＣＰＵ１０からの表示情報に基づいてメインＬＣＤ２１の表示制御を開始する。表示制御部２７は所定の輝度でメインＬＣＤ２１のバックライト２２を点灯させ、バックライト２２の輝度が通常動作時の輝度Ｂｒ１となるよう制御する。
【００３２】
また、表示制御部２７は、ＣＰＵ１０からの表示情報に基づいてサブＬＣＤ２４の表示制御を開始する。表示制御部２７は所定の輝度でサブＬＣＤ２４のバックライト２５を点灯させる。ＬＩＵ制御部８２は、ＣＰＵ１０からの表示情報に基づいてＬＩＵ８１の表示処理を開始する。なお、電源投入時（時間ｔ１）のＦＡＩＬ信号の状態はＬＯである。
【００３３】
時間ｔ２で停電が発生し、商用交流電源からの入力電圧が遮断されると、ＤＣ−ＤＣ変換部６３の出力電圧Ｖ６３も低下する。時間ｔ３でＤＣ−ＤＣ変換部６３の出力電圧Ｖ６３が閾値の１６Ｖ以下となると、停電検出部７１はＦＡＩＬ信号の状態をＬＯからＨＩに切り替える。
【００３４】
一方、時間ｔ２でＡＣ１００Ｖの入力電圧が遮断されると、ＡＣ−ＤＣ変換部６１は停電検出をＣＰＵ１０に通知する。ＣＰＵ１０は、実行されているアプリケーションを正常に終了させる処理を行う。アプリケーションの終了処理中、ＣＰＵ１０はアプリケーションのプログラムに従って、当該アプリケーションが終了処理中であることを示す文字や画像を表示させるための表示情報を表示制御部２７に出力する。
【００３５】
時間ｔ３でＦＡＩＬ信号の状態がＬＯからＨＩになると、表示制御部２７はメインＬＣＤ２１のバックライト２２の輝度を通常動作時の輝度Ｂｒ１から停電時の輝度Ｂｒ２まで下げる。従って、アプリケーション終了処理中であることを示す文字や画像が表示中であれば、輝度が低下した状態のメインＬＣＤ２１において当該文字や画像を含む画面が表示されることとなる。また、表示制御部２７はサブＬＣＤ２４での表示出力を終了する。ＬＩＵ制御部８２は、ＬＩＵ８１への電力供給を停止し、ＬＩＵ８１での表示出力を終了する。
【００３６】
そして、時間ｔ４でアプリケーション終了処理を終えると、ＣＰＵ１０は時間ｔ４からｔ５にかけてＰＯＳ装置１のシャットダウン処理を行う。シャットダウン処理中、ＣＰＵ１０はＯＳのプログラムに従って、ＯＳのシャットダウン中であることを示す画面の表示情報を表示制御部２７に出力する。メインＬＣＤ２１の輝度は上述のように下げられているので、当該シャットダウン画面は通常動作時より暗く表示される。
【００３７】
時間ｔ５でシャットダウン処理が終了し、ＵＰＳバッテリ６２からの電源供給が終了すると、メインＬＣＤ２１での表示出力は終了する。なお、停電検出部７１は、シャットダウン処理の終了時にＦＡＩＬ信号の状態をＬＯにリセットする。
【００３８】
図３は、停電検出後のシャットダウン処理中に復電した場合の輝度制御動作を説明する図である。時間ｔ３までの動作については図２と同様であるので説明を省略する。
【００３９】
時間ｔ６で商用交流電源（ＡＣ１００Ｖ）が復帰し、時間ｔ７でＤＣ−ＤＣ変換部６３の出力電圧Ｖ６３が１６Ｖより大きくなると、停電検出部７１はＦＡＩＬ信号をＨＩからＬＯに戻す。表示制御部２７は、ＦＡＩＬ信号がＨＩからＬＯに戻ると、メインＬＣＤ２１のバックライト２２の輝度を停電時の輝度Ｂｒ２から通常動作時の輝度Ｂｒ１に戻す。また、表示制御部２７は、サブＬＣＤ２４のバックライト２５を点灯させて、サブＬＣＤ２４での表示出力を再開する。
【００４０】
また、ＬＩＵ制御部８２は、ＦＡＩＬ信号がＨＩからＬＯに戻ってから所定のディレイ時間Ｄｔが経過するのを待ってから、時間ｔ８にてＬＩＵ８１での表示を再開する。一般的に、ＬＩＵ８１は電力供給開始時に突入電流が生じやすいため、上述のようにディレイ時間を設けることにより、突入電力を回避し易くすることができる。
【００４１】
なお、ＡＣ−ＤＣ変換部６１は復電検出をＣＰＵ１０に通知する。ＣＰＵ１０は当該通知を受けると、表示制御部２７、ＬＩＵ制御部８２を介してサブＬＣＤ２４、ＬＩＵ８１に対する表示情報出力を再開する。ＣＰＵ１０は、アプリケーション終了処理中である場合には当該アプリケーション終了処理を完了させる。そしてシャットダウン処理前であれば、ＣＰＵ１０はシャットダウン処理を行わず、図３に示すようにシステムを起動させた状態で保持する。シャットダウン処理中であれば、ＣＰＵ１０は当該シャットダウン処理を完了させる。
【００４２】
このように本実施形態のＰＯＳ装置１では、停電から復電にかけて、メインＬＣＤ２１の輝度は変化するが表示出力は途切れることなく継続保持される。停電と復電とが短時間に発生するような状況では、アプリケーション終了処理やシャットダウン処理等の経過状況がより把握しづらくなる。これに対し本実施形態のＰＯＳ装置１は、オペレータ用の表示部が表示出力を保持するので、このような状況においてもオペレータがＰＯＳ装置１の処理状況を把握し易くすることができる。
【００４３】
図４は、瞬停時の動作を説明する図である。時間ｔ１までの動作については図２と同様であるので説明を省略する。商用交流電源（ＡＣ１００Ｖ）が瞬停（瞬断あるいは瞬時電圧低下ともいう。）した場合、ＡＣ−ＤＣ変換部６１の出力電圧が１６Ｖ程度まで下がりきることは通常ない。従って、時間ｔ９でＡＣ１００Ｖが瞬停した場合、ＦＡＩＬ信号はＬＯのままに保たれ、各表示部の輝度および表示もそのままの状態で保たれる。
【００４４】
以上説明したとおり、本実施形態のＰＯＳ装置１は、停電検出時にソフトウェアが行う終了処理動作とは別に、ハードウェア構成によって少なくとも一部の表示部の表示を保持しながら消費電力を低下させる動作が行われる。従って、ＣＰＵ１０に係る負荷を増加させずに、停電時にＰＯＳ装置１がどのような動作をしているのかを分かり易くすることができる。
【００４５】
（その他の実施形態）
なお、輝度制御方法は上述した例に限定されない。例えば表示制御部２７は、停電時にメインＬＣＤ２１の画面全体の輝度を一様に低下させてもよいし、メインＬＣＤ２１のバックライト２２が部分制御可能なバックライトである場合には、メインＬＣＤ２１の画面の一部に限定して輝度を低下させてもよい。
【００４６】
また、表示制御部２７は、メインＬＣＤ２１の表示エリアを画面の一部に限定することにより消費電力を制御してもよい。また、表示エリアの限定と、上述したバックライト２２の輝度低下とを組み合わせて消費電力の低下を図ってもよい。さらに、ＣＰＵ１０が当該限定された表示エリアに対して、終了処理中の画面を表示させてもよい。これにより、終了処理状況を把握し易くさせつつも更に消費電力の低下を図ることができる。
【００４７】
また、本実施形態のハードウェア構成の輝度制御にくわえ、ソフトウェア構成による輝度制御を併用してもよい。即ち、上述のようにハードウェア構成によりメインＬＣＤ２１、サブＬＣＤ２４、ＬＩＵ８１の輝度制御、点灯制御を行って消費電力を低減させた上で、さらに、ＣＰＵ１０が電源管理アプリケーションにより輝度制御および表示制御を行ってもよい。より具体的には、上述のようにハードウェア構成によって本実施形態の輝度制御を行った上で、ＣＰＵ１０が、アプリ終了処理状況や機器終了状況、シャットダウン処理状況を監視する。そして、ＣＰＵ１０が、上記処理に要する残り時間や、ＵＰＳバッテリ６２の出力電圧等の情報とに基づいて、メインＬＣＤ２１の輝度をさらに低下させてもよい。なお、ＣＰＵ１０は上記残り時間が長い場合に、表示制御部２７が停電時に低下させたメインＬＣＤ２１の輝度（図１では輝度Ｂｒ２）を、通常動作時の輝度（図１では輝度Ｂｒ１）に近くなるよう輝度を調整してもよい。
【００４８】
また、ＰＯＳ装置１は停電検出時に、実行されているシャットダウン処理が停電に起因することをオペレータに報知してもよい。例えば、停電検出部７１はスピーカ１５にＦＡＩＬ信号を出力し、スピーカ１５にエラー音を出力させる。スピーカ１５は上記報知内容を音声出力させてもよい。また、停電検出部７１はＬＥＤ１６にＦＡＩＬ信号を出力し、ＬＥＤ１６を点灯または点滅させてもよい。ＬＥＤ１６の近傍に「停電」或いは「停電による終了処理」等の文字や当該意味を示すシンボル等を表示しておいてもよい。また、これら報知方法を適宜組み合わせてもよい。
【００４９】
また、ＦＡＩＬ信号、ＡＣＦＡＩＬ信号の発信元は特に限定されず、例えば停電検出部７１がＡＣＦＡＩＬ信号を出力してもよい。また、ＦＡＩＬ信号およびＡＣＦＡＩＬ信号を共用する形態としてもよい。
【００５０】
また、シャットダウン処理においてＣＰＵ１０は、メインＬＣＤ２１および表示制御部２７を終了させる順番を他の機器よりも後回しにしてもよい。これにより、オペレータはシャットダウン処理中の画面をより長く確認することができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１…ＰＯＳ装置、１０…ＣＰＵ、１３…記憶部、２１…メインＬＣＤ、２４…サブＬＣＤ、２２、２５…バックライト、２３、２６…表示ユニット、２７…表示制御部、６１…ＡＣ−ＤＣ変換部、６２…ＵＰＳバッテリ、６３…ＤＣ−ＤＣ変換部、７１…停電検出部、８２…ＬＩＵ制御部、Ｂｒ１、Ｂｒ２…輝度、Ｄｔ…ディレイ時間、Ｖ６３…出力電圧。
【先行技術文献】
【特許文献】
【００５３】
【特許文献１】特開２０１０−０７３０３０号公報
【図１】
0005946430.tif 000002
【図２】
0005946430.tif 000003
【図３】
0005946430.tif 000004
【図４】
0005946430.tif 000005